(57)【要約】【課題】  本発明は、かかる問題点を解決するためになされたもので、母親等の負担を減らすことができるベビー用ラックを提供すること。【解決手段】  座部に対して背部がリクライニングできるように構成されたベビー用ラックにおいて、前記座部の脇に、遊具等を取付可能な取付アームが前記ベビー用ラックの前後方向に起倒可能となるように取り付けられていることを特徴とする。【選択図】図２−Ａ
2007089667.tif 000002
【特許請求の範囲】
【請求項１】
座部に対して背部がリクライニングできるように構成されたベビー用ラックにおいて、前記座部の脇に、遊具等を取付可能な取付アームが前記ベビー用ラックの前後方向に起倒可能となるように取り付けられていることを特徴とするベビー用ラック。
【請求項２】
前記取付アームは前記座部の上方を覆うようにアーチ状に形成されていることを特徴とする請求項１に記載のベビー用ラック。
【請求項３】
前記取付アームは着脱自在に構成されていることを特徴とする請求項１又は２に記載のベビー用ラック。
【発明の詳細な説明】
【技術分野】
【０００１】
本発明は、乳児を寝かせたり座らせたりするのに使用されるベビー用ラックに関するものである。
【背景技術】
【０００２】
ベビー用ラックとして、背部が座部に対してリクライニングできるように構成され、背部のリクライニングによって、乳児を寝かせたり座らせたりすることができるものが知られている（例えば、特許文献１）。
【特許文献１】特開２００３−８８４５１号公報（図１参照）
【発明の開示】
【発明が解決しようとする課題】
【０００３】
ところで、上記特許文献１記載のベビー用ラックにあっては、ベビー用ラック内に乳児を拘束しておくことはできるものの、ベビー用ラックに乗せられた乳児をあやす手段は何も設けられていない。そのため、乳児をあやすには、別途、メリーゴーランド玩具やガラガラ等の遊具を用意しておかなければならない。
しかし、メリーゴーランド玩具の吊せる場所は部屋内でも限定されているので、メリーゴーランド玩具によって乳児をあやす場合には、そのメリーゴーランド玩具を吊せる場所にベビー用ラックをいちいち移して乳児をあやす必要があり、面倒である。かかる問題は吊して使用する遊具を用いてあやす場合に一般に生じる。
また、ガラガラ等のように握って操作する遊具の場合、握った遊具を乳児が落としてしまうことが多いため、母親等がその都度遊具を拾って乳児に握らせてあげるか、代わりに、母親等が操作してあやしてあげるかしているのが普通である。いずれの場合も、母親等が乳幼児の近くに居なければならないので、面倒である。
【０００４】
本発明は、かかる問題点を解決するためになされたもので、母親等の負担を減らすことができるベビー用ラックを提供することを目的としている。
【課題を解決するための手段】
【０００５】
請求項１記載のベビー用ラックは、座部に対して背部がリクライニングできるように構成されたベビー用ラックにおいて、前記座部の脇に、遊具等を取付可能な取付アームが前記ベビー用ラックの前後方向に起倒可能となるように取り付けられていることを特徴とする。この場合の取付アームは直状のものであってもよいが、座部の上方を横切るような水平部を備えたものが好ましい。この場合には、水平部に、メリーゴーランド玩具等の吊下げ遊具を取り付けることができる。
【０００６】
請求項２記載のベビー用ラックは、請求項１記載のベビー用ラックにおいて、前記取付アームは前記座部の上方を覆うようにアーチ状に形成されていることを特徴とする。
【０００７】
請求項３記載のベビー用ラックは、請求項１又は２記載のベビー用ラックにおいて、前記取付アームは着脱自在に構成されていることを特徴とする。
【発明の効果】
【０００８】
請求項１の発明によれば、取付アームに遊具を取り付けることができるので、乳児をあやすためのベビー用ラックの設置場所が限定されない。また、取付アームに遊具を取り付けることによって遊具の落下を防ぐことができる。
【０００９】
請求項２の発明によれば、取付アームをアーチ状に形成することによって、多種の遊具等を乳児の目前に取り付けることができる。
【００１０】
請求項３の発明によれば、取付アームを取り外すことによって、乳児を椅子に寝かせたり、着座させる作業が容易に行なえることになる。この場合、取付アームを交換可能に構成してもよい。その場合には、サイズの異なる取付アームを用意しておき、必要に応じて、乳児の大きさや成長に合わせて、或いは取り付ける遊具の種類又は数に対応して適切なサイズの取付アームを選択して取り付けられるようにすることが好ましい。
【発明を実施するための最良の形態】
【００１１】
以下に、本発明に係るベビー用ラックを、図面を参照しながら説明する。
図１は本発明に係るベビー用ラックを概念的に示した斜視図、図２−Ａから図２−Ｃは図１のベビー用ラックの各態様を示した斜視図、図３−Ａは本発明に係るベビー用ラックの骨組みを概念的に示した斜視図、図３−Ｂは図１のベビー用ラックのテーブルの取付構造を示す斜視図、図４は座枠に対する背枠の位置決め構造を示した斜視図、図５は図４におけるＡ−Ａ線断面図、図６は図２−ＡにおけるＢ−Ｂ線断面図である。
【００１２】
ベビー用ラック１は、図１に示すように、座部２，背部３，脚部４を備えている。そして、このベビー用ラック１は、図２（Ａ）に示すような乳児のベッドとしての態様，図２（Ｂ）に示すような乳児を僅かに起こした姿勢に保つ態様，図２（Ｃ）に示すような幼児の椅子としての態様等をとることができる。
【００１３】
このベビー用ラック１の骨組み１０は図３に示すように座枠１１、支持枠１２、背枠１３及び脚枠１４を備えてなる。そして、座部２を構成する座枠１１が支持枠１２によって水平に保持され、背部３を構成する背枠１３が、座枠１１の後辺に対して回動可能に配設され、脚部４を構成する脚枠１４が、座枠１１の前辺に対して回動可能に配設されている。
ここで、背枠１３は、座枠１１に対して面一となる状態と、上方に向けて所定角度で傾斜した状態に位置決めされる。すなわち、背枠１３は、座枠１１に対して前後方向に起倒可能に構成され、所定位置にて係止されて位置決め可能となっている。背枠１３の座枠１１に対する位置決め機構１５は例えば次のように構成されている。
図４及び図５に示すように、座枠１１に、背枠１３の回動軸１３ａを中心とする円弧状の板体１５ａを立設し、その板体１５ａの円弧状面に、３つの凹部１５ｂを形成する一方、背枠１３に長孔１５ｃを形成し、該長孔にピン１５ｄを挿通させるとともに、背枠１３に内装させたばね１５ｅでピン１５ｄを板体１５ａの円弧状面に向けて付勢することによって構成される。そして、この位置決め機構１５では、ピン１５ｄを選択的に凹部１５ｂの１つに係合させることによって背枠１３の位置決めが図られるようになっている。
【００１４】
また、脚枠１４は、座枠１１に対してほぼ面一となる状態と、下方に向けて所定角度に傾斜した状態に位置決めされるように構成されている。すなわち、この脚枠１４も、例えば、上記位置決め機構１５と同様な位置決め機構によって２段階又は３段階に位置決めが図られるように構成されている。
【００１５】
また、このベビー用ラック１の骨組み１０には、図３に示すように、その座枠１１の両側部に、コ字状の側枠１６が立設されている。側枠１６には、当て板１７が固設され、その当て板１７に円筒状のホルダー１８がベビー用ラック１の幅方向に延在する軸を中心に回動自在に配設されている。このホルダー１８は、例えば、図６に示すようなディテント機構１９によって２つの状態に位置決めされる。このディテント機構１９は、当て板１７にホルダー１８の回動軸１８ａを中心とする円弧上に２つの凹部１９ａを形成する一方、ホルダー１８の前記円弧に対応する部位に孔１９ｂを形成し、その孔にボール１９ｃを収容するとともに、該ボールをばね１９ｄによって当て板１７方向に付勢してなる。また、このホルダー１８には、ねじ孔２０が形成されている。なお、本実施形態ではディテント機構１９を用いてホルダー１８が２つの状態（２段階）で位置決めされるようにしたが、３段階以上又は実質的に無段階で位置決めするような構成としてもよい。
【００１６】
一方、このベビー用ラック１はアーチ状の取付アーム２１を備えている。取付アーム２１の両端部の差込み片には、図６に示すように、３つのねじ挿通孔２１ａが形成されている。また、この取付アーム２１は、適宜な位置に、遊具等の取付け部２２を備えている。この場合の取付け部２２はリングやフックが考えられるが、遊具側に紐やベルトが付設されている場合には、リングやフック等の取付部２２を取付アーム２１側に設ける必要はない。
この取付アーム２１は、図６に示すように、その両端部の差込み片をホルダー１８に挿嵌させ、取付アーム２１のねじ挿通孔２１ａを選択して、該孔とホルダー１８のねじ孔２０にねじ２３を挿通させることによって、取付アーム２１の高さを調整し、挿通させたねじ２３の先端を、ホルダー１８に螺合させることによって、ホルダー１８に結合される。
なお、取付アーム２１は必ずしもアーチ状であることを要しない。すなわち、取付アームはアーチ状のものに限らず直状のものであってもよいが、座部の上方を横切るような水平部を備えたものであることが好ましい。
また、本実施形態のベビー用ラック１では、取付アーム２１の高さ調節を可能にするため、取付アーム２１の取付け高さ位置を変えられるように構成したが、取付アーム２１の両端部を伸縮自在に構成し、任意の箇所又は段階的にその伸縮位置を保持できるような構造としてもよい。
【００１７】
また、このベビー用ラック１は、テーブル板２４を備えている。テーブル板２４は、取付アーム２１の先端部の形状に倣って形成されており、取付アーム２１の段部に嵌め込むことによって取付アーム２１に取り付けられるようになっている。テーブル板２４としては、通常設けられる物を置くためのテーブル板（図１参照）と、パズル、ガラガラ、レバー又はハンドル等を備えたテーブル板（遊具；図２−Ｃ参照）とが用意されている。そして、必要に応じて、取付アーム２１にテーブル板が取り付けられるようになっている。この場合のテーブル板２４の取付アーム２１への取付けは上記に限定されない。例えば、テーブル板２４及び取付アーム２１の一方に凸部を他方に凹部を設けておき、その凸部と凹部を互いに嵌合させることによって、テーブル板２４を取付アーム２１に着脱自在に取り付けてもよいし、また、取付アーム２１にスリットを設けておき、そのスリットからテーブル板２４を入出させることによって、テーブル板２４を取付アーム２１に着脱自在に取り付けるように構成してもよい。
また、支持枠１２の下端には、キャスター２６が装着されている。
【００１８】
本実施形態のベビー用ラック１は、上記骨組み１０の各枠にマットをそれぞれ装着することによって構成される。
なお、本実施形態のベビー用ラック１は、例えば、股ベルトを有する股サポートを備えていてもよい。股サポートを備えることによって乳児のずり落ちが防止される。
【００１９】
このように構成されたベビー用ラック１は、図２−Ａから図２−Ｃに示す各態様を取り得る。
図２−Ａの態様は、乳児を寝かせるベッドとして使用される場合である。この態様では、背部３および脚部４が水平な状態に保持される。そして、取付アーム２１は、立設された状態にされている。この取付アーム２１には、例えば、メリーゴーランド玩具２７が装着され、該メリーゴーランド玩具は特に限定はされないがリモコン２８によって作動される。また、この取付アーム２１には、図示しない小型扇風機等をも取付けることができる。小型扇風機は例えばねじ又は金具によって取付アーム２１に取り付けられる。
【００２０】
図２−Ｂの態様は、乳児を僅かに起こした姿勢に維持するために使用される場合である。この態様では、背部３を少し傾斜した状態に保持される。そして、取付アーム２１は、立設された状態にある。取付アーム２１には、例えば、玩具取付け部２２に吊り下げ玩具２９が取付けられる。この吊り下げ玩具２９には、紐３０が垂下されており、紐３０を引くことによって、音が発せられる。
【００２１】
図２−Ｃの態様は、幼児を座らせた状態で使用され場合である。この態様では、背部３は立てた状態に保持され、脚部４も下方に向けて傾斜させた状態にある。また、取付アーム２１は、前方に倒した状態に保持され、その先端部には、テーブル板２４を取付アーム２１に装着させることによってテーブル板２４が取付けられる。
【図面の簡単な説明】
【００２２】
【図１】本発明に係るベビー用ラックを概念的に示した斜視図である。
【図２−Ａ】図１のベビー用ラックの使用態様を示した斜視図である。
【図２−Ｂ】図１のベビー用ラックの使用態様を示した斜視図である。
【図２−Ｃ】図１のベビー用ラックの使用態様を示した斜視図である。
【図３−Ａ】図３−Ａは本発明に係るベビー用ラックの骨組みを概念的に示した斜視図である。
【図３−Ｂ】図３−Ｂはテーブル板の取付構造の一例を示す斜視図である。
【図４】座枠に対する背枠の位置決め構造を示した斜視図である。
【図５】図４におけるＡ−Ａ線断面図である。
【図６】図２−ＡにおけるＢ−Ｂ線断面図である。
【符号の説明】
【００２３】
１  ベビー用ラック
２  座部
３  背部
４  脚部
１０  骨組み
１１  座枠
１２  支持枠
１３  背枠
１４  脚枠
１５  位置決め機構
１６  側枠
１７  当て板
１８  ホルダー
１９  ディテント機構
２０  ねじ孔
２１  取付アーム
２４  テーブル板
２７  メリーゴーランド玩具
【図１】
2007089667.tif 000003
【図２−Ａ】
2007089667.tif 000004
【図２−Ｂ】
2007089667.tif 000005
【図２−Ｃ】
2007089667.tif 000006
【図３−Ａ】
2007089667.tif 000007
【図３−Ｂ】
2007089667.tif 000008
【図４】
2007089667.tif 000009
【図５】
2007089667.tif 000010
【図６】
2007089667.tif 000011